(57)【特許請求の範囲】
【請求項１】
各々の遊技機における遊技情報を時間の変化に関連付けて記憶する遊技情報記憶手段と、
各遊技機に個別に設けられ、前記遊技情報記憶手段に記憶された当該遊技機に対応した遊技情報を表示する遊技状態表示手段と、
各遊技機に個別に設けられ、遊技者の個有の会員番号が記録された会員カードから会員番号を読み取るカード情報読取り手段と、
各遊技者に個有の会員番号を記憶し、カード情報読取り手段により読み取った会員番号の有無を照合し、当該遊技者の会員番号が有る場合に、当該遊技者に対応する遊技状態表示手段に各々の遊技機の遊技情報を表示させる集中管理手段とを備えた遊技情報集中管理装置であって、
上記遊技情報集中管理装置は、
遊技者に対して遊技球を貸し出す台間球貸し機から遊技者に貸し出した遊技球数をカウントする貸し球計数装置が接続され、
上記遊技状態表示手段は、
前記カード情報読取り手段による会員番号の照合の結果、当該遊技者の会員番号が有ると判断されたことを条件に表示される遊技情報として、前記貸し球計数装置によってカウントされた遊技球数のうち、当該遊技者の会員番号が有ると判断された以降に貸し出された固有の遊技球数を表示するようにした、
ことを特徴とする遊技情報集中管理装置。
【請求項２】
集中管理手段は、各遊技者の個有の会員番号を記憶し、各読取り手段により読み取った会員番号の有無を照合する会員情報管理手段と、
この会員情報管理手段による照合結果により、当該遊技者の会員番号が有ると判定された場合に限り、当該遊技機の遊技状態表示手段に遊技情報を表示させる遊技情報管理手段と
を備えたことを特徴とする請求項１記載の遊技情報集中管理装置。
【発明の詳細な説明】
【０００１】
【産業上の利用分野】
この発明は、複数の遊技機において、各遊技機の遊技情報を、会員にのみ各々個別に表示する遊技情報集中管理装置に関するものである。
【０００２】
【従来の技術】
従来、この種の遊技情報表示装置としては、遊技機の遊技情報を時間の変化に関連付けて記憶する遊技情報記憶手段と、この遊技情報記憶手段に記憶された遊技情報にもとづいて、遊技情報を表示する遊技状態表示手段とを備え、例えば打止めの発生状態や特別遊技の発生状態を表示することにより、当該遊技機の今後の遊技機の状況を予測して、ホールに設置された多数の遊技機のうちのいずれの遊技機で遊技するかを選択するために必要な情報を与えていた（例えば特開平５−２１２１５５号）。
【０００３】
【発明が解決しようとする課題】
しかし、上記した従来の遊技情報表示装置では、遊技情報を常時表示していたので、遊技中は、この表示が煩わしくて遊技に集中できないといった第１の問題点があった。
また、遊技機の選択に際して、遊技情報の表示を必要としない遊技者もおり、遊技の状態を表示すると、遊技者をかえって混乱させて、遊技機の選択を迷わせてしまうことがあるといった第２の問題点があった。
【０００４】
さらに、遊技機を多数設置するホールにとって、遊技機における遊技情報を全ての遊技者に対して提供すると、特定の遊技機のみに遊技者が集中してしまうなど、経営の妨げとなることがあるといった第３の問題点もあった。これに対し、遊技情報を提供する遊技者を会員に限ることも考えられるが、会員情報のデータ量が多く、また、管理も複雑になってしまうという第４の問題点がある。
【０００５】
そこで、請求項１及び２記載の遊技情報集中管理装置は、上記した従来の技術の有する問題点に鑑みてなされたものであり、その目的とするところは、真に遊技情報を必要とする遊技者にだけ行う遊技情報の提供を簡易かつ容易に行うとともに、遊技情報を必要とするときに限り行う遊技者への遊技情報の提供を容易に行おうとするものである。
【０００６】
これに加え、請求項２記載の遊技情報集中管理装置は、集中管理手段の具体的構成を提供することを目的とする。
【０００７】
【課題を解決するための手段】
本発明は、上記した目的を達成するためのものであり、以下にその内容を図面に示した実施例を用いて説明する。請求項１記載の遊技情報集中管理装置は、各々の遊技機における遊技情報を時間の変化に関連付けて記憶する遊技情報記憶手段(142)と、各遊技機に個別に設けられ、上記遊技情報記憶手段(142)に記憶された当該遊技機に対応した遊技情報を表示する遊技状態表示手段(例えば画像表示装置100)と、各遊技機に個別に設けられ、遊技者の個有の会員番号が記録された会員カードから会員番号を読み取るカード情報読取り手段(例えばカードリーダー105)と、各遊技者に個有の会員番号を記憶し、各カード情報読取り手段(105)により読み取った会員番号の有無を照合し、当該遊技者の会員番号が有る場合に、当該遊技者に対応する遊技状態表示手段(100)に各々の遊技機の遊技情報を表示させる集中管理手段(120)とを備え、上記遊技情報集中管理装置は、遊技者に対して遊技球を貸し出す台間球貸し機(30)から遊技者に貸し出した遊技球数をカウントする貸し球計数装置(112)が接続され、上記遊技状態表示手段(10)は、前記カード情報読取り手段(105)による会員番号の照合の結果、当該遊技者の会員番号が有ると判断されたことを条件に表示される遊技情報として、前記貸し球計数装置(112)によってカウントされた遊技球数のうち、当該遊技者の会員番号が有ると判断された以降に貸し出された固有の遊技球数を表示するようにした、
ことを特徴とする。
【０００８】
請求項２記載の遊技情報集中管理装置は、上記した請求項１記載の特徴点に加え、集中管理手段(120)は、各遊技者の個有の会員番号を記憶し、各カード情報読取り手段(105)により読み取った会員番号の有無を照合する会員情報管理手段(132)と、この会員情報管理手段(132)による照合結果により、当該遊技者の会員番号が有ると判定された場合に限り、当該遊技機の遊技状態表示手段(100)に遊技情報を表示させる遊技情報管理手段(150)とを備えたことを特徴とする。
【０００９】
【作 用】
したがって、請求項１記載の遊技情報集中管理装置によれば、遊技情報記憶手段(142)は、複数の遊技機の各々における遊技情報を、時間の変化に関連づけて記憶する。一方、各遊技機に設けられたカード情報読取り手段(105)は、遊技者に個有の会員カードから会員番号を読み取る。
【００１０】
集中管理手段(120)は、各遊技者に個有の会員番号を予め記憶し、各カード情報読取り手段(105)によって読み取った会員番号の有無を照合する。そして、集中管理手段(120)は、当該遊技者の会員番号が、予め記憶した会員番号中に存在する場合には、当該遊技者に対応する遊技状態表示手段(100)に、当該遊技機の遊技情報を表示させる。
【００１１】
遊技状態表示手段(100)は、上記遊技情報記憶手段(142)に記憶された当該遊技機に対応した遊技情報を各々表示する。請求項２記載の遊技情報集中管理装置によれば、会員情報管理手段(132)は、各遊技者の個有の会員番号を予め記憶し、各カード情報読取り手段(105)によって読み取った会員番号の有無を照合する。
【００１２】
遊技情報管理手段(150)は、会員情報管理手段(132)による照合結果により、当該遊技者の会員番号が、予め記憶した会員番号中に存在する場合に限り、当該遊技機の遊技状態表示手段(100)に遊技情報を表示させる。
また、遊技機に接続された貸し球計数装置(112)は、遊技者に対して遊技球を貸し出す台間球貸し機(30)から遊技者に貸し出した遊技球数をカウントする。
遊技状態表示手段(10)は、前記カード情報読取り手段(105)による会員番号の照合の結果、当該遊技者の会員番号が有ると判断されたことを条件に表示される遊技情報として、前記貸し球計数装置(112)によってカウントされた遊技球数のうち、当該遊技者の会員番号が有ると判断された以降に貸し出された固有の遊技球数を表示する。
【００１３】
【実施例】
図１〜３は、本発明の一実施例を示すものであり、図１は遊技情報集中管理装置の制御の概略を示した概念図、図２は管理表示装置の正面図、図３はカードリーダーの概略斜視図を各々示す。図１中、10は、パチンコ機を示すものであり、このパチンコ機10の上方には、遊技情報等の管理及び表示を行うための管理表示装置20が設けられ、パチンコ機10の向かって左側には、パチンコ機10に対応して設けられ、パチンコ10機の遊技に用いる遊技球を貸し出すための箱状の台間球貸し機30が設けられている。
【００１４】
このパチンコ機10は、ホール内に複数台設置され、管理表示装置20並びに台間球貸し機30も、ホール内に設置されたパチンコ機に対応して設置されている。そして、これらのパチンコ機10、管理表示装置20並びに台間球貸し機30は、各々を集中的に管理するための集中管理手段120に接続されている。なお、本実施例は、ホール内に設置される複数台のパチンコ機10のうち、一台のパチンコ機10を例に説明する。
【００１５】
上記パチンコ機10は、その前面の中央に遊技盤40を有し、この遊技盤40の表面には、円形状に配置されたガイドレール41と、このガイドレール41で囲まれた遊技部42とを有する。また、遊技盤40の表面には、図示しないが複数の釘が設けられ、遊技部42内を流下する遊技球は、これらの釘に当たって、その流下方向に変化が与えられる。
【００１６】
また、前記遊技部42内のほぼ中央には、図１に示すように、特別遊技の入賞か否かの抽選を行う図柄変動表示装置50が設けられている。また、この図柄変動表示装置50の上方には、図１に示すように、３個のカップ型の上部始動口51・・が設けられ、図柄変動表示装置50の下方には、１個のカップ型の下部始動口52が設けられており、各始動口51・・,52内には、入球した遊技球を検出すると、前記図柄変動表示装置50による図柄の変動表示を開始させる始動口センサ53・・が各々設けられている。
【００１７】
また、下部始動口52の下方には、図１に示すように、アタッカータイプの変動入賞装置60が設けられている。この変動入賞装置60は、その前面開口に、開閉可能なアタッカー扉61を有している。そして、この変動入賞装置60のアタッカー扉61は、常時は、その前面開口を閉止させて、遊技球が変動入賞装置60内に入球するを阻止するとともに、図柄変動表示装置50による抽選の結果が、例えば図柄変動表示装置50の図柄の変動を停止した停止図柄が、横並びに「７７７」又は「３３３」となって特別遊技の入賞となった場合に、前面開口を開放させて、遊技球が変動入賞装置60内に入球するのを容易とするように構成されている。
【００１８】
なお、遊技部42内には、図には示さないが、遊技球が入球すると、遊技者に対して、賞球を払い出す入賞口が複数個設けられている。また、上記変動入賞装置60の下方には、図１に示すように、ガイドレール41の下端内縁を臨む位置に、各始動口51・・,52や、いずれの入賞口にも入賞しなかった遊技球を回収するための略長円状の回収口70が設けられている。
【００１９】
上記遊技盤40の下方には、図１に示すように、遊技盤40に発射するための遊技球を貯留するための上部貯留皿71が設けられ、この上部貯留皿71の下方には、上部貯留皿71に貯留しきれない遊技球を貯留するための下部貯留皿72が設けられ、この下部貯留皿72の右側には、遊技部42内に遊技球を発射するためのハンドル状の打球発射装置73が設けられている。
【００２０】
また、パチンコ機10の内部には、その上部位置に、遊技球補給装置（図示せず）から供給された遊技球を貯留する貯留タンク74が設けられている。この貯留タンク74は、賞球払出装置（図示せず）から賞球として払い出される遊技球を一時的に貯留するタンクであって、払い出される賞球が流下するための賞球流下路75を介して上部貯留皿71と連通している。また、賞球流下路75の球流下途中には、図１に示すように、払い出される賞球数をカウントする賞球計数装置76が設けられている。
【００２１】
さらに、パチンコ機10の内部の下部位置には、遊技部42内に発射され、パチンコ機10内に取り込まれた遊技球を機外に排出するための遊技球排出口80が設けられている。また、この遊技球排出口80には、図１に示すように、排出される遊技球をカウントするためのアウト球計数装置81が設けられている。また、遊技盤40の裏面には、遊技制御装置90が設けられている。この遊技制御装置90は、賞球計数装置76がカウントした賞球数とアウト球計数装置81がカウントしたアウト球数との差数を算出し該差数値が所定数を超えた場合に、リミット信号を出力する差数演算手段91と、この差数演算手段91からのリミット信号にもとづいて打球発射装置73による打球の発射を停止させ遊技機を打止め状態とする打止め制御手段92と、図柄変動表示装置50による抽選の結果が特別遊技の入賞となった場合に、変動入賞装置60のアタッカー扉61を開放させて特別遊技を行わせる特別遊技実行制御手段93とを備える。
【００２２】
上記管理表示装置20には、その中央に、遊技情報を表示するための遊技状態表示手段としての画像表示装置100が設けられている。また、この画像表示装置100の左側には、パチンコ機10に何らかの故障が発生した場合などに遊技者が係員を呼び出すために、遊技者が点灯させる呼出ランプ101が設けられ、画像表示装置100の右側には、会員カードを挿入するための横方向に開口したスリット状のカード挿入口102と、このカード挿入口102の下方右側に位置する、カード挿入口102に挿入した会員カードを排出させるためのボタン状のカード排出スイッチ103と、カード挿入口102の下方左側に位置する、呼出ランプ101を点灯させるためのボタン状の点灯スイッチ104とが設けられている。
【００２３】
上記画像表示装置100は、例えばＣＲＴカラーディスプレーが用いられ、図２に示すように、種々の遊技情報、例えば賞球数とアウト球数との差数、打止めの発生状態、特別遊技の発生状態、台間球貸し機30が貸し出した貸し球数、賞球と貸し球数との和などを遊技者に対して表示することができる。上記賞球数とアウト球数との差数は、図２に示すように、横軸を時間の経過とし縦軸を球数とする折れ線グラフで表示される。この折れ線グラフは、中央に、破線で表示した「０」の基準ラインを備え、この基準ラインの上方に折れ線が位置している状態では、アウト球数よりも賞球数が上回っていることを示し、逆に基準ラインの下方に折れ線が位置している状態では、賞球数よりもアウト球数の方が上回っていることを示している。
【００２４】
したがって、遊技者は、この折れ線の角度をみて、賞球数とアウト球数との差数を確認するとともに、例えば右下がりの折れ線であるならば、この状態がもう少し継続するのではないか、あるいはそろそろ右上がりの傾向が生じるのではないかといった、賞球数とアウト球数の差数という観点から今後の遊技情報の傾向を予想することができる。
【００２５】
また、上記打止めの発生状態は、図２に示すように、時間の経過を横軸として、いずれかの遊技者による当該パチンコ機10による遊技が最初に開始されてから現在までの打止めの発生を表すことで示されている。本実施例では、画像表示装置100には、図２に示すように、遊技機による遊技が開始されてから１時間経過後、３時間経過後、７時間経過後の合計３回の打止めが発生したことが示されている。
【００２６】
上記特別遊技の発生状態は、図２に示すように、上記打止めの発生状態の表示と同様に、時間の経過を横軸として、いずれかの遊技者による当該遊技機による遊技が最初に開始されてから現在までの特別遊技の発生を示している。本実施例では、画像表示装置100には、図２に示すように、遊技機による遊技が開始された直後、２時間半経過後、５時間半経過後の合計３回の特別遊技が発生したことが示されている。
【００２７】
したがって、打止めの発生及び特別遊技の発生についての情報が時間との関連において表示されることから、これらの情報を確認することで、今後の傾向を予測し当該遊技機を選択して遊技するか否かの判断を行う際の判断材料とすることができる。上記カード挿入口102内には、図３に示すように、会員カードに磁気的に記録された遊技者に個有の会員番号を読み取るためのカード情報読取り手段としてのカードリーダー105が設けられている。またカード挿入口102内に挿入された会員カードは、例えば遊技の終了時などに、カード排出スイッチ103を操作することにより、排出することができる。
【００２８】
会員カードには、ホールに対して、氏名、年齢、住所、職業等の個人情報を届け出ることを条件に、付与された個有の会員番号が磁気的に記録されている。また、この会員番号は、ホール側の会員登録装置（図示せず）に記録され、会員の個人情報とともに保存される。また、上記画像表示装置100には、遊技者が会員カードを挿入したパチンコ機10に対応する台間球貸し機30が、遊技者に対して貸し出した遊技球数が表示される。このため、遊技者が遊技を行うパチンコ機に対応する台間球貸し機30のみを用いて遊技球の貸出を受けることを前提とすれば、当該パチンコ機10による遊技を開始してから当該パチンコ機10の遊技に要した遊技球数を知ることができる。
【００２９】
また、上記した賞球と貸し球数との和を表示することによって、賞球数から遊技を開始するために、台間球貸し機30から貸し出された遊技球数を差し引いた遊技球は、上部貯留皿71及び下部貯留皿72に実際に貯留されている遊技球数を表示することができる。上記呼出ランプ101は、例えば球詰まりや賞球が払い出されないなどのパチンコ機10の故障時に、呼出スイッチ104を遊技者が操作することにより、例えば赤色に点灯又は点滅して、係員を呼び出すために用いられる。
【００３０】
また、上記呼出ランプ101は、特別遊技中には、通常時に呼出スイッチ104を操作した場合とは異なる色、例えば緑色で点灯又は点滅することにより、特別遊技中の遊技者の雰囲気を盛り上げるために用いられる。上記台間球貸し機30は、その前面中央の上部に位置する現金投入口110と、この現金投入口110の下方からパチンコ機10の上部貯留皿71の上まで延びた遊技球の誘導ノズル111とを備えている。そして、この台間球貸し機30は、ホール内に設置された各パチンコ機10ごとに配置され、現金投入口110に所定金額の現金が投入されたことを条件に、球貯留部（図示せず）に貯留されている遊技球をに所定個数だけ貸し出す。貸し出された遊技球は、誘導ノズル111を介して対応するパチンコ機10の上部貯留皿71に直接流下し、打球発射装置73からの発射が可能となる。また、この台間球貸し機30の内部には、遊技者に貸し出される遊技球をカウントする貸し球計数装置112を備えている。
【００３１】
つぎに、図１を用いて、遊技情報集中管理装置の制御回路について説明する。遊技情報集中管理装置の制御回路は、図１に示すように、ＣＰＵから構成された集中管理手段120を中心に構成されている。そして、集中管理手段120の入力側には、図１に示すように、パチンコ機10に設けられた遊技制御装置90と、台間球貸し機30に設けられた遊技者に貸し出した遊技球数をカウントする貸し球計数装置112と、遊技者の個有の会員番号が記録された会員カードから会員番号を読み取るカード情報読取り手段としてのカードリーダー105とが接続されている。
【００３２】
また、集中管理手段120の出力側には、図１に示すように、当該パチンコ機10に対応した遊技情報を表示する管理表示装置20と打球発射装置73とが接続されている。集中管理手段120は、所定の登録手続によって登録された遊技者の固有の会員番号を記憶する会員番号記憶手段130及び会員番号記憶手段130が記憶している会員番号とカードリーダー105が読み取った会員番号とを照合する会員番号照合手段131を有する会員情報管理手段132と、打止め制御手段92が打球発射装置73による打球の発射を停止させ遊技を打止め状態とした場合には、打止め状態の発生時を記憶する打止め時間記憶手段140及び特別遊技実行制御手段93によって特別遊技が行われた場合には、特別遊技の発生時を記憶する特別遊技時間記憶手段141を有する遊技情報記憶手段142及び上記会員情報管理手段132による照合の結果、カードリーダー105が読み取った会員番号が会員番号記憶手段130にあった場合に限り、当該パチンコ機10の画像表示装置100に遊技情報を表示させる遊技データ表示制御手段143を有する遊技情報管理手段150とを備える。
【００３３】
つぎに、上記構成を備えた遊技情報集中管理装置の動作について説明する。
遊技者は、これから遊技を行おうとする当該パチンコ機の過去の遊技情報を、画像表示装置100によって確認するためには、まず、ホールに対して、氏名、年齢、住所、職業等の個人情報を届け出て個別の会員番号をホール側の会員登録装置に登録し、個別の会員番号が記録された会員カードをホールから付与される必要がある。
【００３４】
そして遊技者は、付与された会員カードを、各々の遊技機に個別に設置された管理表示装置20のカード挿入口102に挿入すると、カードリーダー105は、挿入された会員カードに記録された会員番号を読み取り、読み取った会員番号を会員情報管理手段132に出力する。会員情報管理手段132の会員番号照合手段131は、カードリーダー105が読み取った会員番号が、ホール側の会員登録装置に会員番号として登録されているか否かを照合する。
【００３５】
会員番号照合手段131は、照合の結果、会員カードに記載された会員番号がホール側の会員登録装置に会員番号として登録されていると判定すると、登録有りの信号を出力する。
遊技データ表示制御手段143は、会員番号照合手段131が会員番号の登録有りの信号を出力すると、画像表示装置100に、図２に示すように、会員カードの挿入時以前の過去の遊技情報を表示させる。そして、この遊技情報の表示は、遊技者がカード排出スイッチ103を操作して会員カードを排出させるまで継続される。
【００３６】
このように、会員カードを挿入して初めて、画像表示装置100が遊技情報を表示することとしたことから、真に遊技情報を必要とする遊技者にだけ遊技情報を提供することができる。また、遊技情報を必要としない場合には、カード排出スイッチ103を操作して会員カードを排出することにより、画像表示装置100による遊技情報の表示を停止させることができるから、遊技情報を必要とするときに限り遊技者に遊技情報を提供することが可能となる。
【００３７】
上記会員カードに記載された会員番号が、照会の結果、ホール側の会員登録装置に登録されていないと判断された場合や当該ホールで用いられている会員カードと異なる別カードを挿入した場合には、画像表示装置100には、遊技情報は表示されず、代わりに、当カードは使用できない旨の表示、例えば「このカードは使用できません」などの警告が表示される。
【００３８】
一方、ホール側は、会員カードの付与の際に得られた会員の個人情報を、ホールの新規開店や新台の入れ替えのお知らせなどの情報を知らせる際のダイレクトメールを発送する住所録として用いたり、会員情報の年齢、性別などを手がかりとして、当該ホールにおける遊技機の指向傾向などを予想し、ホールの今後の営業方法などを決定する際の有効な資料として用いることができる。
【００３９】
なお、遊技中には、遊技情報表示装置によって遊技者が当該遊技機による遊技を開始してからの情報として、各始動口センサ53・・が検出した各カップ型の始動口内に入球した遊技球数や遊技時間等をリアルタイムで表示するようにしてもよい。また、上記実施例では、画像表示装置100には、当日の遊技情報を表示すると説明したが、ホールの開店直後、あるいは当該遊技機による最初の遊技開始から所定時間が経過する前には、前日の遊技情報を表示するようにしてもよい。当該遊技機の当日の遊技情報が少ない場合には、前日の遊技情報を表示することによって、遊技者は、遊技を行う遊技機の選択の際の有効な情報を得ることができる。
【００４０】
遊技情報の表示時間は、原則として会員カードの挿入時から排出時までと説明したが、遊技情報の表示時間は、これに限らず、例えば会員カードの挿入時から予め定められた所定時間、例えば３０秒間のみとしてもよい。このように、会員カードの挿入時から所定時間が経過すると、遊技情報表示装置による遊技情報の表示を終了させることで、遊技者は、遊技中に遊技情報表示装置による遊技情報の表示に煩わされることがなくなる。
【００４１】
【発明の効果】
本発明は、以上のように構成されているので、以下に記載されるような効果を奏する。請求項１及び２記載の遊技情報集中管理装置によれば、真に遊技情報を必要とする遊技者にだけ行う遊技情報の提供を簡易かつ容易に行うとともに、遊技情報を必要とするときに限り行う遊技者への遊技情報の提供を提供することができる。
【００４２】
さらに、請求項２記載の遊技情報集中管理装置によれば、各パチンコ機における、会員のみへの遊技情報の提供を、会員情報管理手段及び遊技情報管理手段とを有する集中管理手段によって行うこととしたから、会員が多くなってデータ量が増大しても、容易に管理することができる。
【図面の簡単な説明】
【図１】  遊技情報集中管理装置の制御の概略を示した概念図である。
【図２】  管理表示装置の正面図である。
【図３】  カードリーダーの概略斜視図である。
【符号の説明】
10 パチンコ機
20 管理表示装置
30 台間球貸し機
40 遊技盤
41 ガイドレール
42 遊技部
50 図柄変動表示装置
51 上部始動口
52 下部始動口
53 始動口センサ
60 変動入賞装置
61 アタッカー扉
70 回収口
71 上部貯留皿
72 下部貯留皿
73 打球発射装置
74 貯留タンク
75 賞球流下路
76 賞球計数装置
80 遊技球排出口
81 アウト球計数装置
90 遊技制御装置
91 差数演算手段
92 打止め制御手段
93 特別遊技実行制御手段
100 画像表示装置
101 呼出ランプ
102 カード挿入口
103 カード排出スイッチ
104 点灯スイッチ
105 カードリーダー
110 現金投入口
111 誘導ノズル
112 貸し球計数装置
120 集中管理手段
130 会員番号記憶手段
131 会員番号照合手段
132 会員情報管理手段
140 打止め時間記憶手段
141 特別遊技時間記憶手段
142 遊技情報記憶手段
143 遊技データ表示制御手段
150 遊技情報管理手段
【図１】
0003897828.tif 000002
【図２】
0003897828.tif 000003
【図３】
0003897828.tif 000004